(57)【要約】      （修正有）【課題】簡単な構造と操作が容易なブラインド機能を有する外窓・内窓構造体を提供する。【解決手段】引き違い外窓およびその室内側に取り付けられた引き違い内窓よりなる外窓・内窓構造体であって、（１）外窓および内窓は、互いに左右ほぼ対応した大きさと形状を有しており、（２）外窓は、単層ガラスまたは複層ガラスであってその窓ガラス面には偏光フィルムが装着され、（３）内窓は、複層ガラスであって、２枚のガラス板の一方の内側のガラス面には偏光フィルムが装着され、（４）外窓と内窓が閉っている状態では、外窓と内窓の偏光フィルムの偏光方向は光透過（明）の状態となり、内窓が反対方向に移動した状態では、外窓と内窓の偏光フィルムの偏光方向が光遮断（暗）の状態となるように外窓と内窓の偏光フィルムの偏光方向が構成されている。【選択図】図３
2014047536.tif 000002
【特許請求の範囲】
【請求項１】
引き違い外窓およびその室内側に取り付けられた引き違い内窓よりなる外窓・内窓構造体であって、
（１）外窓および内窓のそれぞれの２つの引き違い窓は、互いに左右ほぼ対応した大きさと形状を有しており、
（２）外窓の引き違い窓は、単層ガラスであってその室内側の窓ガラス面には偏光フィルムが装着され、
（３）内窓の引き違い窓は、２枚のガラス板、その２枚のガラス板の間に空間部を保持するためのスペーサー、スペーサーの内部に収納された乾燥剤およびシール剤より形成された複層ガラスであって、
(ｉ)  スペーサーは板状の成形体より形成され、
(ｉｉ)  スペーサーはガラス板の間に設置した場合、少なくとも一方のガラス面には
実質的に線もしくは点接触し、
(ｉｉｉ)  スペーサーは乾燥剤をその内部に収納しうる形状を有し、且つ
(ｉｖ)  スペーサーはその内部と２枚のガラス板の間の空間部と気体が流通しうる連
通路を有している、複層ガラスであり、
（４）前記内窓の複層ガラスの引き違い窓における２枚のガラス板の一方の内側のガラス面には偏光フィルムが装着され、
（５）外窓と内窓がそれぞれ閉っている状態では、外窓と内窓の左右それぞれの偏光フィルムの偏光方向は光透過（明）の状態となり、内窓の引き違い窓が反対方向に移動した状態では、外窓と内窓の左右それぞれの偏光フィルムの偏光方向が光遮断（暗）の状態となるように外窓と内窓における左右の偏光フィルムの偏光方向が構成されている、
ことを特徴とするブラインド機能を有する外窓・内窓構造体。
【請求項２】
引き違い外窓およびその室内側に取り付けられた引き違い内窓よりなる外窓・内窓構造体であって、
（１）外窓および内窓のそれぞれの２つの引き違い窓は、互いに左右ほぼ対応した大きさと形状を有しており、
（２）外窓の引き違い窓は、２枚のガラス板、その２枚のガラス板の間に空間部を保持するためのスペーサー、スペーサーの内部に収納された乾燥剤およびシール剤より形成された複層ガラスであって、
(ｉ)  スペーサーは板状の成形体より形成され、
(ｉｉ)  スペーサーはガラス板の間に設置した場合、少なくとも一方のガラス面には
実質的に線もしくは点接触し、
(ｉｉｉ)  スペーサーは乾燥剤をその内部に収納しうる形状を有し、且つ
(ｉｖ)  スペーサーはその内部と２枚のガラス板の間の空間部と気体が流通しうる連通路を有している、複層ガラスであり、
（３）前記外窓の複層ガラスの引き違い窓における２枚のガラス板の一方の内側のガラス面には偏光フィルムが装着され、
（４）内窓の引き違い窓は、２枚のガラス板、その２枚のガラス板の間に空間部を保持するためのスペーサー、スペーサーの内部に収納された乾燥剤およびシール剤より形成された複層ガラスであって、
(ｉ)  スペーサーは板状の成形体より形成され、
(ｉｉ)  スペーサーはガラス板の間に設置した場合、少なくとも一方のガラス面には
実質的に線もしくは点接触し、
(ｉｉｉ)  スペーサーは乾燥剤をその内部に収納しうる形状を有し、且つ
(ｉｖ)  スペーサーはその内部と２枚のガラス板の間の空間部と気体が流通しうる連
通路を有している、複層ガラスであり、
（５）前記内窓の複層ガラスの引き違い窓における２枚のガラス板の一方の内側のガラス面には偏光フィルムが装着され、
（６）外窓と内窓がそれぞれ閉っている状態では、外窓と内窓の左右それぞれの偏光フィルムの偏光方向は光透過（明）の状態となり、内窓の引き違い窓が反対方向に移動した状態では、外窓と内窓の左右それぞれの偏光フィルムの偏光方向が光遮断（暗）の状態となるように外窓と内窓における左右の偏光フィルムの偏光方向が構成されている、
ことを特徴とするブラインド機能を有する外窓・内窓構造体。
【発明の詳細な説明】
【技術分野】
【０００１】
本発明は、ブラインド機能を有する外窓・内窓構造体に関する。さらに詳しくは、従来の窓ガラスをそのまま利用でき、施工が簡単であり、採光および遮断機能（ブラインド機能）を有し、しかも断熱効果および防音効果に優れた外窓・内窓構造体に関する。
【背景技術】
【０００２】
近時、建築物、殊に家屋の有エネルギー対策および防音対策の１つとして、窓ガラスの複層ガラス化が拡がっている。現在市販されている複層ガラスは２枚のガラス板の間に一定の間隔の空間を形成し、その空間がシール剤によって密閉され、その密閉空間は乾燥剤を封入することにより乾燥状態を保持するように構成されている。この複層ガラスの省エネルギー効果を高めるために、ガラス板に透明断熱フィルムを貼り合わせることも提案されている。
【０００３】
通常の複層ガラスは、空間(２枚のガラス板の間隔)が６ｍｍ程度であり、一枚のガラス板の厚みが約３ｍｍであることから全体として少なくとも１２ｍｍの厚みとなる。
【０００４】
一方単層ガラスのサッシ窓の場合、一般家屋用のガラス板の厚みは８〜９ｍｍであるから、既に単層ガラスが設置されているサッシ窓に対して、少なくとも１２ｍｍの厚みの複層ガラスを設置しようとすればサッシ枠全体を取り換える必要があり、そのため改築費用は可成りの額となる。また新築であってもまた改築であっても前記複層ガラスを設置した場合遮断・断熱効果および防音効果は一応の目標は達成される。
【０００５】
これに対して、本発明者は２枚のガラス板の空間の間隔を薄くできるスペーサーであって、乾燥剤を封入し保持できるスペーサーの構造および材質について研究を進めた結果、特定断面形状の金属(アルミ、ステンレスなど)または樹脂製のスペーサーを使用することにより、そのスペーサー中に乾燥剤を容易に封入しうること、ガラス板の間隔を約２ｍｍとすることができることを見出した。この複層ガラスは、厚さ３ｍｍの２枚のガラス板および２ｍｍの間隔の空間とすることが可能となるため全体として約８ｍｍを達成することができる。この約８ｍｍの厚さの複層ガラスは、従来の単層ガラスのサッシ窓の窓枠にそのまま挿入でき、その利用価値は甚大であり、既に実用化されている。この複層ガラスは、特許文献１として提案されている。
【０００６】
前記提案された複層ガラス（以下“薄型複層ガラス”という）は、従来の単層ガラスのサッシ窓枠をそのまま利用できるという点で高い実用的価値を有するものであり、また薄型であることのメリッットとして、ショーケースの省エネルギー用窓としても実際に利用されている。
そこで本発明者は、前記薄型複層ガラスの利用をさらに拡大するためその遮熱・断熱効果と防音効果と共に薄型・軽量であることに着眼し、従来の単層の窓ガラスとの併用について考えた。つまり既に設置された単層のガラス窓に前記薄型複層ガラスを重ね合わせて、その効果を調べた。その結果、結露防止効果が不充分であったりまたガラス面に干渉縞が発生して、そのまま実用化できるものではなかった。さらにそのまま重ね合わせたり、貼り合わせたものはデザイン的にも美観を有するものではなかった。
【０００７】
本発明者は、前記薄型複層ガラスを窓ガラスに貼り合わせる場合、結露が発生せず、干渉縞が認められず、施工が簡単であり、その上美観にも優れさらに貼り合せた構造体の粘着強度および安全性に問題がない構造について研究を進めた。
【０００８】
その結果、下記（ｉ）〜（ｖ）の項目を満足する窓ガラス構造体は、結露の発生を充分に防ぎ、干渉縞が認められず、デザイン性に優れ、施工も簡単であり、設置後も強固に接合し安全であることが見出された。さらに薄型複層ガラスと窓ガラスとの間に一定間隔の空間が存在することによって遮熱・断熱効果が一段と向上しまた防音効果も増大することが判明した。
（ｉ）  薄型複層ガラスと窓ガラスが向い合う２つのガラス板の間隔を一間隔に保
持すること、
（ｉｉ）  薄型複層ガラスはその周囲を断面がＬ字形のチャンネルで固着しそのチャ
ンネルの端部は窓ガラスと接触せず一定間隔で離れていること、
（ｉｉｉ）  薄型複層ガラスはその下側面において設置面との間に小さな固形片が一定
間隔で設置され、その設置面との空間にはシール剤が充填されていること、
（ｉｖ）  薄型複層ガラスは、窓ガラスと貼り合せる面に、薄型複層ガラスのスペー
サーおよびシール剤が覆い隠すように周囲に不透明フィルムが接着されてい
ること、
（ｖ）  薄型複層ガラスは、その両側面および上側面において窓ガラスとの接触部
がシール剤によって覆われていること。
【０００９】
本発明は、前記究明事実に基づいて、窓ガラスの内側または外側のガラス面に前記薄型複層ガラスが張り合わされた結露防止用窓ガラス構造体を特許文献２として提案した。
【先行技術文献】
【特許文献】
【００１０】
【特許文献１】特開平８−１６９７３３号公報
【特許文献２】特開２００９−２４４１５号公報
【００１１】
前記提案の窓ガラス構造体は、外窓・内窓構造を有する構造体であり、結露防止、断熱効果および防音効果に優れた機能を有している。
【発明の概要】
【発明が解決しようとする課題】
【００１２】
そこで本発明者は、前記薄型複層ガラスの利用をさらに拡大するため、その遮断・断熱効果と防音効果と共に薄型・軽量であることに着眼し、既に設置された単層ガラス窓或いは複層ガラス窓との併用について研究を進めた。
殊にブラインド機能つまり光の透過と遮光効果を有する機能について研究を進めた。その結果、薄型複層ガラスの利点を活用し、その薄さ軽量を生かし、その複層ガラスの空間の一方のガラス面に偏光フィルムを特定方向に光が偏光するように装着することによって、ブラインド機能を発現すること（任意に光の透過と遮光をコントロールできること）を見出し本発明に到達した。
【課題を解決するための手段】
【００１３】
本発明によれば、下記［Ｉ］および［ＩＩ］のブラインド機能を有する外窓・内窓構造体が提供される。
【００１４】
［Ｉ］  引き違い外窓およびその室内側に取り付けられた引き違い内窓よりなる外窓・内窓構造体であって、
（１）外窓および内窓のそれぞれの２つの引き違い窓は、互いに左右ほぼ対応した大きさと形状を有しており、
（２）外窓の引き違い窓は、単層ガラスであってその室内側の窓ガラス面には偏光フィルムが装着され、
（３）内窓の引き違い窓は、２枚のガラス板、その２枚のガラス板の間に空間部を保持するためのスペーサー、スペーサーの内部に収納された乾燥剤およびシール剤より形成された複層ガラスであって、
(ｉ)  スペーサーは板状の成形体より形成され、
(ｉｉ)  スペーサーはガラス板の間に設置した場合、少なくとも一方のガラス面には
実質的に線もしくは点接触し、
(ｉｉｉ)  スペーサーは乾燥剤をその内部に収納しうる形状を有し、且つ
(ｉｖ)  スペーサーはその内部と２枚のガラス板の間の空間部と気体が流通しうる連
通路を有している、複層ガラスであり、
（４）前記内窓の複層ガラスの引き違い窓における２枚のガラス板の一方の内側のガラス面には偏光フィルムが装着され、
（５）外窓と内窓がそれぞれ閉っている状態では、外窓と内窓の左右それぞれの偏光フィルムの偏光方向は光透過（明）の状態となり、内窓の引き違い窓が反対方向に移動した状態では、外窓と内窓の左右それぞれの偏光フィルムの偏光方向が光遮断（暗）の状態となるように外窓と内窓における左右の偏光フィルムの偏光方向が構成されている、
ことを特徴とするブラインド機能を有する外窓・内窓構造体。
【００１５】
［ＩＩ］  引き違い外窓およびその室内側に取り付けられた引き違い内窓よりなる外窓・内窓構造体であって、
（１）外窓および内窓のそれぞれの２つの引き違い窓は、互いに左右ほぼ対応した大きさと形状を有しており、
（２）外窓の引き違い窓は、２枚のガラス板、その２枚のガラス板の間に空間部を保持するためのスペーサー、スペーサーの内部に収納された乾燥剤およびシール剤より形成された複層ガラスであって、
(ｉ)  スペーサーは板状の成形体より形成され、
(ｉｉ)  スペーサーはガラス板の間に設置した場合、少なくとも一方のガラス面には
実質的に線もしくは点接触し、
(ｉｉｉ)  スペーサーは乾燥剤をその内部に収納しうる形状を有し、且つ
(ｉｖ)  スペーサーはその内部と２枚のガラス板の間の空間部と気体が流通しうる連
通路を有している、複層ガラスであり、
（３）前記外窓の複層ガラスの引き違い窓における２枚のガラス板の一方の内側のガラス面には偏光フィルムが装着され、
（４）内窓の引き違い窓は、２枚のガラス板、その２枚のガラス板の間に空間部を保持するためのスペーサー、スペーサーの内部に収納された乾燥剤およびシール剤より形成された複層ガラスであって、
(ｉ)  スペーサーは板状の成形体より形成され、
(ｉｉ)  スペーサーはガラス板の間に設置した場合、少なくとも一方のガラス面には
実質的に線もしくは点接触し、
(ｉｉｉ)  スペーサーは乾燥剤をその内部に収納しうる形状を有し、且つ
(ｉｖ)  スペーサーはその内部と２枚のガラス板の間の空間部と気体が流通しうる連
通路を有している、複層ガラスであり、
（５）前記内窓の複層ガラスの引き違い窓における２枚のガラス板の一方の内側のガラス面には偏光フィルムが装着され、
（６）外窓と内窓がそれぞれ閉っている状態では、外窓と内窓の左右それぞれの偏光フィルムの偏光方向は光透過（明）の状態となり、内窓の引き違い窓が反対方向に移動した状態では、外窓と内窓の左右それぞれの偏光フィルムの偏光方向が光遮断（暗）の状態となるように外窓と内窓における左右の偏光フィルムの偏光方向が構成されている、
ことを特徴とするブラインド機能を有する外窓・内窓構造体。
【発明の効果】
【００１６】
本発明の外窓・内窓構造体は、外窓及び内窓のそれぞれが引き違い窓であり、それぞれの窓には、その左右の窓に偏光方向が異なる偏光フィルムが装着され、外窓及び／又は内窓の引き違い窓を左右に移動（開閉）させることにより、窓全体を光透過可能な状態（“明の状態”ということがある）或いはブライドの状態（“暗の状態”ということがある）に容易に切り換えることが可能となる。
本発明の外窓・内窓構造体は、少なくとも内窓は、複層ガラス構造であり、全体として断熱及び防音効果に優れ、結露防止効果も顕著である。されに通常は透明ガラス窓として使用することができ、必要に応じてブラインド（遮光）の状態の窓に容易に変更することができる。
【図面の簡単な説明】
【００１７】
【図１】本発明の外窓・内窓構造体を室内側から見た平面図（図１−ａ）を示す。図１−ｂは図１−ａのＸ−Ｘ´断面図を示し、図１−ｃは図１−ａのＹ−Ｙ´断面図を示す。
【図２】本発明の外窓・内窓構造体における内窓部に使用される窓枠及び複層ガラスの断面図を示す。
【図３】本発明の外窓・内窓構造体における外窓部及び内窓部のガラス面に装着した偏光フィルムの配置状態を示した室内側から見た平面図を示す。図３−ａは外窓部のガラス面を示し、図３−ｂは内窓部のガラス面を示す。
【発明を実施するための形態】
【００１８】
本発明のブラインド機能を有する外窓・内窓構造体は、大別して前記［Ｉ］の構造体（以下“構造体−Ｉ”と省略することがある）及び前記［ＩＩ］の構造体（以下“構造体−ＩＩ”と省略することがある）の２種類の構造体を含んでいる。構造体−Ｉと構造体−ＩＩは共に外窓部と内窓部よりなり、また内窓部は複層ガラスの構造体である点において共通している。しかし構造体−Ｉは外窓部の窓は単層ガラスを使用した引き違い窓であり、構造体−ＩＩは、外窓部及び内窓部のいずれも複層ガラスの構造体である点において相違している。
以下本願発明の外窓・内窓構造体における窓枠の構造を図面を用いて説明する。
【００１９】
図１には、本願の外窓・内窓構造体を窓部に取り付けた場合、室内側から見た平面図（図１−ａ）が示されている。
従って図１−ａは、内窓部の外枠及び窓枠が示されていて、２つの窓枠は引き違い窓になっている。図１−ａは窓が閉じた状態を示している。
図１−ａは室内から見た平面図であるので、その外側にある外窓部は図示されていない。
【００２０】
図１−ｂには、図１−ａにおけるＸ−Ｘ′断面図、また図１−ｃには図１−ａにおけるＹ−Ｙ′断面図が示されている。すなわち、図１−ｂ及び図１−ｃは、本発明の構造体−Ｉの断面図を示している（外窓部が単層ガラスで構成されている）。本発明の構造体−Ｉは、既存の単層ガラスの窓の室内側に取り付けられるものであり、図１−ａには既存の窓（以下“外窓”または“外窓部”と称することがある）は示されていない。図１−ｂのＸ−Ｘ′断面図には、外窓部とそれに取り付けた状態の本発明の構造体−Ｉが示されている。外窓部は、図１−ｂでは単層ガラス３による引き違い窓が示されているが、外窓部は一枚の単層ガラスで形成された固定型窓であってもよく、複層ガラス窓（構造体−ＩＩ）であってもよい。
【００２１】
また図１−ｂおよび図１−ｃに示されるように本発明の構造体−Ｉは、２つの窓枠１がその上下（さらに場合により左右も）において、凹状断面を有する溝を有する外枠に沿って開閉しうるように、外枠４によって保持されている。外枠４の上下には、２つの凹状断面を有する溝が形成されている。
【００２２】
本発明の外窓・内窓構造体は、外窓部及び内窓部の外枠及び窓枠は、いずれもアルミサッシ、プラスチック及び木製であってもよいが、外窓部は一般的には、アルミサッシであることが好ましく、内窓部は、プラスチック又は木製であってもよい。
本発明の構造体−Ｉにおいて、外窓部に使用される単層ガラスは従来の単層ガラスであればよく厚さは通常７〜１５ｍｍ、好ましくは８〜１４ｍｍが適当である。
【００２３】
次に本発明の構造体−Ｉ及びＩＩに使用される内窓部の複層ガラスの構造について図２により説明する。また構造体−ＩＩにおいて使用される外窓部の複層ガラスは、基本的に内窓部の複層ガラスと同じ構造である。
この複層ガラスは、好ましくは特開平８−１６９７３３号公報及び特開２００９−２４４１５号公報に記載されているものが有利に使用される。
【００２４】
本発明の構造体−Ｉ及びＩＩの内窓に使用される２つの窓枠は、それぞれ複層ガラスの周囲を取り囲むように四方を四つの枠で固定されている。その直角断面図が図２に示される。この断面図は、図１における図１−ｃの内窓部の断面図に対応している。図２は殊に複層ガラスの構造を説明するために、上下の枠部分が拡大されている。図２において、上下の枠２１に複層ガラス２が囲い込まれている。枠２１は複層ガラス２の端部が挿入されるようみに凹状のくぼみを有している。
【００２５】
複層ガラス２は、２枚のガラス板２２、その２枚のガラス板の間に空間を保持するためのスペーサー２４、スペーサー２４の内部に収納された乾燥剤およびシール剤２３より形成されている。図２ではスペーサー２４の内部に収納された乾燥剤は、図面上省略されている。
【００２６】
本発明の窓枠に使用される複層ガラス２は、好適には下記要件（ｉ）〜（ｉｖ）を満足する構造であるのが優れている。
（ｉ）  スペーサーは板状の成形体より形成され、
（ｉｉ）  スペーサーはガラス板の間に設置した場合、少なくとも一方のガラス面に
は実質的に線もしくは点接触し、
（ｉｉｉ）  スペーサーは乾燥剤をその内部に収納しうる形状を有し、且つ
（ｉｖ）  スペーサーはその内部と２枚のガラス板の間の空間部と気体が流通しうる
連通路を有している。
【００２７】
前記（ｉ）〜（ｉｖ）の要件を満足する複層ガラスは、殊にスペーサー２４の構造およびそのスペーサー２４を２枚のガラス板に装着した構造に特徴があり、これらの特徴に基いて複層ガラスを極めて薄くすることができ、それに基いて窓枠の厚みも薄く、しかも軽量とすることが可能となる。前記複層ガラスの（ｉ）〜（ｉｖ）の要件をより具体的に説明する。
【００２８】
この複層ガラス２におけるスペーサー２４は、２枚のガラス板の間に設置した場合、少なくとも一方のガラス面には実質的に線接触または点接触している。２つのガラス板２２はスペーサー２４によって空間が形成されている。このスペーサー２４は、１つのガラス板２２には線で接触し、他のガラス板２２には面で接触している。ガラス板２２とスペーサー２４との接触している点は、図面上スペーサー２４の左端部である。
【００２９】
スペーサーの断面形状は図２に示した形状であってもよく、さらに別の断面形状であってもよい。スペーサーは２つのガラス板の間に形成される密閉空間と気体が流通しうる連通路を有している。例えば図２のスペーサー２４の場合、左側のスペーサー端部はガラス板２２と接触しておらず、狭い間隔で隔てられている。この間隔は気体が流通できればよく、乾燥剤粒子が通過できない間隔であるべきである。また、連通路はスペーサー内に小孔を設けたものでもよい。前述したように、気体の流通する連通路は、乾燥剤粒子が通過しない大きさであることが必要である。
【００３０】
前記複層ガラスは、２枚のガラス板の間にスペーサーおよび乾燥剤を前述したように配置すると共に、複層ガラスにおいて通常使用されるシール剤により、内部の気体を乾燥状態に保持する。シール剤は一般に使用されているようにスペーサーの外側において２枚のガラス板の間に充填され、図２においてはシール剤２３として示されている。このシール剤としては、複層ガラスに通常使用されているものを利用することができる。シール剤としては、ポリ（イソブチレン）系、ポリサルフイド系、シリコーン系、ポリウレタン系のものが代表的な例として挙げられる。これらは水蒸気透過率が低く、接着力が長時間維持され、また引張り方向に対する追従性に優れているので好ましい。
【００３１】
複層ガラスにおいては、片面のガラス板の内側に透明面発熱体が装着されていることが好ましく、そうすることによって結露を防止乃至抑制することができる。この透明面発熱体をガラス板の内側に装着する方法は、複層ガラスにおいてそれ自体知られている手段を用いることができる。例えばガラス板の表面に直接スズやインジウムの酸化物、金や銀の金属或いはそれらの合金の被膜をスパッタリング法または焼結法により形成させる方法であってもよく、また前記被膜を形成させたフィルムをガラス板に貼り付ける方法であってもよい。透明面発熱体を装着した場合、その面の両端に銀や金などによる電極を取り付け、使用に際しては電圧を印可して表面を加熱し結露を防止する。
【００３２】
また、複層ガラスの片面のガラス板の内側に透明断熱フィルムを装着して複層ガラスの断熱機能を一層強化することができる。すなわち、複層ガラスは空間部の厚さが薄いのでその断面効果の不足を補うために透明断熱フィルムの装着は大変効果を有する。透明断熱フィルムは、それ自体市販されており、それをそのまま利用することができる。
【００３３】
前記複層ガラスは、全体厚さが薄くしかもそれ自体断熱効果および結露防止効果を有している。例えば厚さが２．７〜３ｍｍの２枚のガラスを使用し空間の厚み２ｍｍの複層ガラスとすることにより、全体の厚みが７．４〜８ｍｍの薄型複層ガラスとすることができる。
【００３４】
本発明の構造体−Ｉ及びＩＩは、総厚みが極めて薄く、設置した場合の出っ張り感が大幅に軽減される。また薄型であり、その上軽量であるのでその設置および窓の開閉が容易となる。さらに優れた効果として引き違い窓であるにも拘らず、内窓部の構造体は軽量で薄型という特徴を有していると共に、遮断・断熱の効果および防音の効果に極めて優れている。
【００３５】
さらに本発明の構造体−Ｉ及びＩＩは、窓枠における複層ガラスの少なくとも一方のガラス板の内側に透明断熱フィルム貼着することにより、外気からの熱線を大幅にカットすることができる。すなわち夏期の太陽光からの熱線を大幅にカットすることが容易になる。一方冬期には室内の暖房を外に逃げるのを防止することが可能となる。本発明の構造体は、引き違い窓枠であって、取り付けが簡単であるから、窓枠のガラス面の内側と外側とを逆向きに変更することは何等の支障もなく容易に達成できる。
【００３６】
次に本発明の外窓・内窓構造体におけるブラインド機能について図３を用いて説明する。
図３は、本発明の外窓・内窓構造体における外窓部及び内窓部のガラス面に装着した偏光フィルムの配置状態を示した室内側から見た平面図を示す。図３−ａは外窓部のガラス面を示し、図３−ｂは内窓部のガラス面を示す。
【００３７】
図３−ａ及び図３−ｂは、それぞれ外窓部及び内窓部におけるガラス窓が閉じた状態を示している。図３−ａ及び図３−ｂでは、外窓部及び内窓部の左側のガラス面（左面）は共に偏光フィルムの偏光方向が同じ方向となるように配置されている。また右側のガラス面（右面）には、外窓部及び内窓部共に偏光フィルムの偏光方向が同じ方法となるように配置されているが、左面と右面とは偏光フィルムの偏光方向は直交するように偏光フィルムが配置されている。
【００３８】
図３−ａ及び図３−ｂの平面図では、ガラス面の左面及び右面は共に同じ方向に偏光する偏光フィルムが装着されているので、窓全体の左面及び右面のいずれも光を透過し（明の状態）、室内部がら室外部の様子を、また室外部から室内部の様子を見通すことができる。
ところが図３−ｂの右面と左面のガラス面を逆にすると（すなわち内窓部の左面と右面とを引き違いにより移動させると）、外窓部と内窓部は、左面及び右面のいずれも偏光フィルムの偏光方向が直交する状態となり、光が透過しなくなる。すなわち窓全体がブラインド状態（暗の状態）となる。
【００３９】
偏光フィルムをガラス面に装着するには、偏光フィルムの偏光方向が前記したような構成となるように外窓部及び内窓部の左右のガラス面に偏光フィルムを貼ればよい。すなわち外窓部が単層ガラスの場合、単層ガラス窓の室内側のガラス面に偏光フィルムを貼り付けることが好ましい。
また複層ガラスの場合には、２枚のガラス板の一方の内側（空間部側）のガラス面に偏光フィルムを貼り付けることが好ましい。
【符号の説明】
【００４０】
１    窓枠
２    複層ガラス
４    外枠
２１    枠
２２    ガラス板
２３    シール剤
２４    スペーサー
【図１】
2014047536.tif 000003
【図２】
2014047536.tif 000004
【図３】
2014047536.tif 000005